(57)【要約】【課題】地下への埋設時の手間やコストを低く抑えることができるとともに、内部の死水の発生を抑制することができる縦形貯水タンクを提供すること。【解決手段】縦形貯水タンク１０内に、該タンク１０の上方から底壁２５の略中心付近に近接するように、先端に流入口１９ａを有する流入管１９を挿入して、流入管１９を該タンク１０の上下方向に延在させる。そして、前記流入口１９ａ付近において、流入管１９を整流板２１の孔２３に貫通させて、流入管１９の外周部と整流板２１の孔２３とを溶接する。そして、整流板２１には複数の貫通孔２２を設けておく。【選択図】      図１
2004203409.tif 000002
【特許請求の範囲】
【請求項１】
水の流入管及び流出管が接続された縦形貯水タンクにおいて、前記流入管は前記タンクの上下方向に延在し、前記タンク内部の底部付近に整流板を備え、整流板の略中心部を前記流入管が貫通しているとともに、前記整流板は複数の貫通孔を有していることを特徴とする縦形貯水タンク。
【請求項２】
前記流入管の流入口と前記流出管の流出口とが、互いに前記整流板を隔てた反対側に位置していることを特徴とする請求項１に記載の縦形貯水タンク。
【請求項３】
前記貫通孔は放射状に配列されていることを特徴とする請求項１または２に記載の縦形貯水タンク。
【発明の詳細な説明】
【０００１】
【発明の属する技術分野】
この発明は、縦形貯水タンクに関するものである。
【０００２】
【従来の技術】
貯水タンクは、水の流入部と流出部を備えているが、その貯水タンク内には、死水（水の滞留部分）が発生することが知られている。この死水が生じると、飲料用の貯水タンクの場合、水質の確保に問題が生じるおそれがあった。このため、この死水の発生が抑制されるように、従来は、水流を利用して内部の水を攪拌するための整流部材が設けられた貯水タンクが考えられている（特許文献１参照）。そして、このような貯水タンクは大きいので、地上に設置する場合に設置場所を確保することが困難であった。このため、貯水タンクを地下に埋設することがしばしばあった。
【０００３】
【特許文献１】
特許第２６５００２２号公報（第２−３頁、第１図）
【０００４】
【発明が解決しようとする課題】
しかしながら、前記特許文献１に記載の貯水タンクにおいては、横長のタンクであるため、整流部材によって該タンク内の死水の発生を抑制できるものの、地下に埋設する場合には、地面の掘削面積を広く必要とするので、掘削工事の手間やコストが比較的多くかかるという問題があった。この問題を解消するためには、貯水タンクを縦形にするのが有効であるが、縦形の貯水タンクにおいて死水を解消することは困難であった。
【０００５】
この発明は、このような従来の技術に存在する問題点に着目してなされたものである。その目的は、地下への埋設時の手間やコストを低く抑えることができるとともに、内部の死水の発生を抑制することができる縦形貯水タンクを提供することにある。
【０００６】
【課題を解決するための手段】
上記目的を達成するために、請求項１の発明においては、水の流入管及び流出管が接続された縦形貯水タンクにおいて、前記流入管は前記タンクの上下方向に延在し、前記タンク内部の底部付近に整流板を備え、整流板の略中心部を前記流入管が貫通しているとともに、前記整流板は複数の貫通孔を有していることを要旨とするものである。
【０００７】
従って、前記タンク内部に複数の貫通孔を有する整流板を備えているので、該タンク内の水をほぼ均一に分散させることができる。このため、縦形の貯水タンクであっても、タンク内の死水の発生を抑制することができる。
【０００８】
請求項２に記載の発明においては、請求項１において、前記流入管の流入口と前記流出管の流出口とが、互いに前記整流板を隔てた反対側に位置していることを要旨とするものである。
【０００９】
従って、流入口から流入される水が、確実に整流板によって分散された後に、流出口から流出される。このため、タンク内の死水の発生を効果的に抑制することができる。
【００１０】
請求項３に記載の発明においては、請求項１または２において、前記貫通孔は放射状に配列されていることを要旨とするものである。
従って、請求項２と同様の効果が得られる。
【００１１】
【発明の実施の形態】
（実施形態）
以下、本発明を具体化した第１実施形態を図１及び図２に基づいて説明する。
【００１２】
はじめに、縦形貯水タンク１０の構成について説明する。
図１に示すように、全体として円筒状をなす縦形貯水タンク１０は、地下に埋設されており、その本体壁１２の外側にはコンクリート層１１が形成されている。前記タンク１０の上部には、該タンク１０のメンテナンスを行う時などに、該タンク１０の内部に出入りすることができるように、開閉自在の蓋１５を有する出入口２４が設けられている。
【００１３】
また、縦形貯水タンク１０の軸線位置には、地上１６に設けられた流入側水道パイプ（図示しない）から延びている流入管１９が、該タンク１０の上下方向に延在するように、該タンク１０内に挿入されている。このとき、流入管１９は、その先端に設けられた流入口１９ａが、前記タンク１０の底壁２５の中心付近に近接するように構成されている。流入管１９の流入口１９ａ付近には、円形の整流板２１が中心の孔２３において外嵌固定されている。即ち、流入管１９の流入口１９ａ付近において、流入管１９が整流板２１の中心部に位置する孔２３を貫通しているとともに、流入管１９の外周部と整流板２１の孔２３とが溶接されている。このとき、整流板２１の外周部２６と、前記タンク１０内の側壁２７との間には、間隙が設けられているが、できるだけこの間隙が少なくなるように構成されている。
【００１４】
また、整流板２１は複数の貫通孔２２を備えており、該貫通孔２２は整流板２１の中心から外周部２６に向かって放射状に配列されている。そして、貫通孔２２は、整流板２１の放射方向に対してそれぞれ等間隔に配列されている。
【００１５】
さらに、前記タンク１０には、地上１６に設けられた流出側水道パイプ（図示しない）から延びている流出管２０が、該タンク１０の上下方向に延在するように、該タンク１０の上壁２８の一部から突出するように設けられた凸部２９において、前記タンク１０内に挿入されている。そして、流出管２０の先端の流出口２０ａは、前記上壁２８と略同じ高さになるように構成されている。
【００１６】
次に、上記のように構成された縦形貯水タンク１０内の死水の発生を抑制するための作用効果について説明する。
流入側水道パイプから縦形貯水タンク１０内に送水される水１３は、流入管１９を通って流入口１９ａから吐出される。この吐出された水１３は、底壁２５の中心付近に突き当たることにより、該底壁２５の中心から外周方向に向かう方向に分散される。そして、この水１３は、整流板２１と底壁２５との間全体に広がった後、略均等に整流板２１の各貫通孔２２を通過することにより、前記タンク１０の上壁２８に向かって流れる。
【００１７】
このようにして、前記タンク１０内において、水１３が下から上に流動されることにより、該タンク１０内の死水の発生を抑制することができる。そして、この死水の発生が抑制された前記タンク１０内の水は、流出口２０ａから流出管２０を通って流出側水道パイプに導かれることによって飲料水等に用いられる。
【００１８】
以上詳述した実施形態によれば次のような効果が発揮される。
・  前記底壁２５に向かって吐出した水１３を、整流板２１に設けられた複数の放射状に配列された各貫通孔２２を略均等に通るようにすることができるので、このときに発生する水流によって、前記タンク１０内の死水の発生を抑制することができる。また、前記流入管１９は前記タンク１０の上下方向に延在しているので、前記タンクを縦長に形成することができる。このため、前記タンク１０を地下に埋設する際に、地面の切削面積が横長のタンクに比べて少なくて済むので、地面の切削工事の手間やコストを低く抑えることができる。
【００１９】
・  流入口１９ａと流出口２０ａとが、互いに整流板２１を隔てた反対側に位置しているので、流入口１９ａから流入される水１３が、確実に整流板２１を通過した後に、流出口２０ａから流出される。このため、前記タンク１０内の水１３が、該タンク１０内の略全体に分散されるので、該タンク１０内の死水の発生を抑制することができる。
【００２０】
（変形例）
なお、この発明は、前記実施形態を次のように変更して構成することもできる。
【００２１】
・  前記実施形態において、前記流入口１９ａから吐出された水１３が突き当たる底壁２５部分に、水１３の分散を促すための低円錐形の部材を設けること。
・  前記実施形態において、縦形貯水タンク１０に、整流板２１を複数枚設けること。
【００２２】
・  図３に示すように、前記実施形態において、整流板２１の貫通孔２２を格子状に配列すること。
次に上記実施形態から把握できる請求項以外の技術的思想について、それらの効果とともに以下に追記する。
【００２３】
（１）前記整流板の外周部と、前記タンクの側壁との間に間隙を有することを特徴とする請求項１〜３のいずれかに記載の縦形貯水タンク。
従って、整流板の外周部と側壁との間の間隙においても、水面に向かう方向への水の流れが生じるので、死水の発生しやすい底壁と側壁との間のコーナ付近において死水の発生を抑制することができる。
【００２４】
（２）前記貫通孔は格子状に配列されていることを特徴とする請求項１または２に記載の縦形貯水タンク。
従って、請求項２と同様の効果が得られる。
【００２５】
【発明の効果】
以上、詳述したように本発明は、地下への埋設時の手間やコストを低く抑えることができるとともに、内部の死水の発生を抑制することができる縦形貯水タンクを提供することができるという効果がある。
【図面の簡単な説明】
【図１】実施形態の縦形貯水タンクの全体を表す断面図
【図２】実施形態の整流板の正面図
【図３】変形例の整流板の正面図
【符号の説明】
１０…縦形貯水タンク、１１…コンクリート層、１２…本体壁、１３…水、１４…梯子、１５…蓋、１６…地上、１９…流入管、１９ａ…流入口、２０…流出管、２０ａ…流出口、２１…整流板、２２…貫通孔、２３…孔
【図１】
2004203409.tif 000003
【図２】
2004203409.tif 000004
【図３】
2004203409.tif 000005